(57)【特許請求の範囲】
【請求項１】
埋込配線器具用の取付枠の前側に取着され、前面の少なくとも一部に溝が形成されたプレート枠を備え、前記プレート枠を前後に貫通する窓穴が前記溝の一部に設けられ、前記プレート枠の後側に配置される発光部の光を前記窓穴から前方に出射させる光透過部材が前記窓穴に配置されたことを特徴とする化粧プレート。
【請求項２】
前記プレート枠は、前記取付枠の前側に取り付けられる矩形枠状の枠本体と、前記枠本体にそれぞれ取り付けられる一対の化粧板とを有し、
前記枠本体には、前記枠本体を前後方向に貫通して、前記取付枠に保持された前記埋込配線器具の前面を露出させる貫通孔が設けられ、
前記枠本体において前記貫通孔を間にして対向する一対の側辺の各々に前記化粧板が取り付けられ、
前記一対の化粧板の各々には、前記一対の化粧板が前記枠本体に取り付けられた状態で前記貫通孔を間にして前記一対の化粧板が並ぶ第１方向に沿って延びる前記溝が前記第１方向と直交する第２方向において一定の間隔で複数設けられ、
前記一対の化粧板のうちの一方に設けられた前記溝に、前記光透過部材が配置される前記窓穴が設けられたことを特徴とする請求項１に記載の化粧プレート。
【請求項３】
埋込配線器具が取着される取付枠と、前記取付枠の前側に取着される請求項１又は２に記載の化粧プレートとを備え、発光部が前記取付枠に取り付けられたことを特徴とするプレート装置。
【請求項４】
前記取付枠及び前記発光部の内の一方には、他方に設けた係止穴に係止する係止爪が設けられたことを特徴とする請求項３記載のプレート装置。
【発明の詳細な説明】
【技術分野】
【０００１】
本発明は、化粧プレート及びそれを用いるプレート装置に関するものである。
【背景技術】
【０００２】
埋込配線器具が取着される取付枠の前側には、取付枠の前面を覆って意匠性を向上させるプレートが取り付けられている（例えば特許文献１参照）。
【先行技術文献】
【特許文献】
【０００３】
【特許文献１】特開２０００−１６６０５０号公報
【発明の概要】
【発明が解決しようとする課題】
【０００４】
ところで、スイッチ等の配線器具には位置表示のために発光部を設ける場合がある。しかしながら、配線器具には寸法上の制約があり、配線器具に発光部を設ける場所が無い場合は、プレートの後側に発光部を配置することが行われていた。この場合、プレートの後側にある発光部の光を、プレートの前面から外部へ照射させるために、従来はプレートの前面に発光部の光を前側へ照射させるレンズ等の光透過部材を配置しており、この光透過部材がプレートの前面に配置されることで、プレートの意匠性が低下するという問題があった。
【０００５】
発明は上記課題に鑑みて為されたものであり、その目的とするところは、意匠性を損なうことなく外部に光を照射できるプレート装置を提供することにある。
【課題を解決するための手段】
【０００６】
本発明の化粧プレートは、埋込配線器具用の取付枠の前側に取着され、前面の少なくとも一部に溝が形成されたプレート枠を備える。プレート枠を前後に貫通する窓穴が溝の一部に設けられ、プレート枠の後側に配置される発光部の光を窓穴から前方に出射させる光透過部材が窓穴に配置される。
この化粧プレートにおいて、プレート枠は、取付枠の前側に取り付けられる矩形枠状の枠本体と、枠本体にそれぞれ取り付けられる一対の化粧板とを有してもよい。枠本体には、枠本体を前後方向に貫通して、取付枠に保持された埋込配線器具の前面を露出させる貫通孔が設けられる。枠本体において貫通孔を間にして対向する一対の側辺の各々に化粧板が取り付けられ、一対の化粧板の各々には、一対の化粧板が枠本体に取り付けられた状態で貫通孔を間にして一対の化粧板が並ぶ第１方向に沿って延びる溝が第１方向と直交する第２方向において一定の間隔で複数設けられる。一対の化粧板のうちの一方に設けられた溝に、光透過部材が配置される窓穴が設けられる。
【０００７】
本発明のプレート装置は、埋込配線器具が取着される取付枠と、この取付枠の前側に取着される上記の化粧プレートとを備え、発光部が取付枠に取り付けられたことを特徴とする。
【０００８】
このプレート装置において、取付枠及び発光部の内の一方には、他方に設けた係止穴に係止する係止爪が設けられることも好ましい。
【発明の効果】
【０００９】
本発明の化粧プレートによれば、プレート枠に設けた溝の一部に窓穴が設けられ、この窓穴には発光部の光を前方に出射させる光透過部材が配置されているので、光透過部材を配置する窓穴が目立ちにくくなる。したがって、光透過部材によってプレート枠の意匠性が低下するのを抑制でき、使い勝手と意匠性の両方を向上させた化粧プレートを実現できる。
【００１０】
また本発明のプレート装置によれば、プレート枠に設けた溝の一部に窓穴が設けられ、この窓穴には発光部の光を前方に出射させる光透過部材が配置されているので、光透過部材を配置する窓穴が目立ちにくくなる。したがって、光透過部材によってプレート枠の意匠性が低下するのを抑制でき、使い勝手と意匠性の両方を向上させたプレート装置を実現できる。
【図面の簡単な説明】
【００１１】
【図１】本実施形態のプレート装置を前方から見た分解斜視図である。
【図２】同上のプレート装置を後方から見た分解斜視図である。
【図３】同上のプレート装置の施工状態を示す正面図である。
【図４】同上のプレート装置の外観斜視図である。
【図５】同上のプレート装置を構成する化粧プレートの分解斜視図である。
【図６】同上のプレート装置を構成する化粧プレートの要部を拡大した分解斜視図である。
【図７】（ａ）は同上のプレート装置を構成する取付枠の正面図、（ｂ）はスリーブの外観斜視図である。
【図８】同上のプレート装置を構成する別の化粧プレートの外観斜視図である。
【図９】（ａ）〜（ｃ）はプレート装置の他の構成を示す施工状態の正面図である。
【発明を実施するための形態】
【００１２】
本発明に係る化粧プレート及びそれを用いたプレート装置の実施形態を図１〜図９に基づいて説明する。尚、以下の説明では、図３に示す造営面（例えば壁など）への取付状態において上下左右の方向を規定し、図３の紙面に垂直な方向を前後方向として説明を行う。
【００１３】
本実施形態のプレート装置１は、図１〜図３に示すように、埋込配線器具用の取付枠２と、取付枠２の前面側に取り付けられる化粧プレート３とで構成される。ここでは、単位寸法の埋込配線器具が３個まで取付可能なプレート装置１を例に説明する。図３はプレート装置１に埋込配線器具を取り付けた状態を示しており、コンセント１０１は単位寸法の２個分の埋込配線器具であるため、単位寸法の埋込配線器具であるスイッチ１００とコンセント１０１の２つしか取り付けられていない。尚、プレート装置１は３個用のものに限定されるものではなく、図９（ａ）〜（ｃ）に示すように４個用や６個用や８個用のものなど多品種存在している。ここで、図９中の１０４はテレビコンセント、１０５は換気扇用の操作スイッチである。
【００１４】
先ず取付枠２について説明する。取付枠２は図１、図２及び図７（ａ）に示すように板金を矩形枠状に加工してなり、配線器具が前方より取り付けられる矩形の器具取付穴２１が中央に設けられた枠本体２０を備えている。枠本体２０の上下両側辺には、内周縁（器具取付穴２１）側の部位から、後方に向かって突出する複数本（３個用の場合は６本）のリブ２２が左右方向に一定の間隔を開けて設けられている。各リブ２２の前端側は枠本体２０に連結され、各リブ２２の後端側は枠本体２０と平行な方向（左右方向）に沿って延びる引掛片２３に連結されている。
【００１５】
また枠本体２０の左右両側辺には上下方向略中央に長穴２４が貫設されており、この長穴２４に通した固定ねじ（図示せず）を埋込ボックス（図示せず）のねじ部にねじ込むことによって、枠本体２０が埋込ボックスに固定される。枠本体２０の左右両側辺には、長穴２４に対して外側寄りの周縁部に、前方に向かって突出するリブ２５ａが設けられており、固定ねじを埋込ボックスのねじ部に螺子締めする際には固定ねじの頭がリブ２５ａに当接することになる。ここで、リブ２５ａは長穴２４に対して外側寄りに設けられているので、固定ねじの頭で枠本体２０が内側に押されることはなく、螺子締め時の応力で枠本体２０の中央部が後方へ沈み込むように変形するのを抑制できる。さらに、枠本体２０には枠辺の一部を後方から押し出すことによって前方に突出するリブ２５ｂが全周に亘って形成されており、枠本体２０の強度を向上させている。
【００１６】
また枠本体２０の左右両側辺には、それぞれ、後述する発光ブロック８（発光部）の発光部分を露出させるための矩形の窓穴２６と、窓穴２６の上下両側に開口して発光ブロック８の係止爪が係止する係止穴２７，２７が設けられている。ここで、窓穴２６及び係止穴２７，２７は枠本体２０の対角の位置（左上側及び右下側）に設けられており、枠本体２０が上下を逆にして造営面に取り付けられた場合でも、枠本体２０の右下側に発光ブロック８を取り付けることができるようになっている。
【００１７】
また枠本体２０の上下両側辺には、樹脂製のスリーブ７を取り付けるための取付穴２８が左右両側に設けられている。各取付穴２８の平面形状は、正方形の四隅のうちの１つが斜めに切り欠かれた形状に形成されており、器具取付穴２１に対して上側にある取付穴２８と、器具取付穴２１に対して下側にある取付穴２８とが、左右対称となるように配置されている。すなわち、枠本体２０が上下を逆にして造営面に取り付けられたとしても、取付穴２８の配置や形状が同じとなるように設定されている。
【００１８】
スリーブ７は、図１及び図７（ｂ）に示すように、合成樹脂により中央が開口した四角筒状に形成され、取付枠２に取り付けた状態で器具取付穴２１側となる内側面には、後述する化粧プレート３（枠本体４）の係止爪片４４と係止する係止突起７０が設けられている。またスリーブ７の後側には、他の部位よりも左右方向において幅広に形成された幅広部７１が設けられている。スリーブ７において幅広部７１よりも前側の部位は、前方から見た形状が、四角形の四隅のうちの１つ（係止突起７０が設けられた側の一方）を斜めに切り欠いた形状に形成されている。すなわち、スリーブ７の前側部分は、取付枠２の取付穴２８と同形状に形成され、角に設けた切欠部分によって、スリーブ７が正規の方向で取付枠２に取り付けられるようになっており、取付状態においては係止突起７０が器具取付穴２１側に位置する。またスリーブ７の前側部には、前端部から上下両側にそれぞれ突出する爪７２が設けられるとともに、前端部から幅広部７１までスリット７３が形成され、スリーブ７の前側部を撓みやすくしている。而して、スリーブ７の前側部を取付穴２８内に後方から挿入すると、スリーブ７の爪７２が取付穴２８の前側周縁部に係止し、幅広部７１が枠本体２０の後面と当接することで、スリーブ７が取付枠２に取り付けられる。ここで、化粧プレート３の係止爪片４４を金属製の取付枠２に直接係止させる場合、合成樹脂でできた係止爪片４４が摩耗する可能性があるが、本実施形態では係止爪片４４を樹脂製のスリーブ７に係止させているので、係止爪片４４の摩耗を抑制できる。尚、本実施形態では取付枠２と別体に形成されたスリーブ７を取付枠２に取り付けているが、例えばインサート成形により樹脂製のスリーブ７を金属製の取付枠２と一体的に設けてもよい。
【００１９】
次に化粧プレート３について説明する。化粧プレート３は、枠本体４と、この枠本体４に取り付けられる化粧板５ａ，５ｂとで構成される。
【００２０】
枠本体４は合成樹脂により矩形枠状に形成され、取付枠２の前面の略全体を覆えるような大きさに形成されている。枠本体４は、取付枠２に保持された埋込配線器具の前面を露出させる矩形の窓穴４１（貫通孔）を中央に備えている。枠本体４の左右両側辺には、窓穴４１の左右両側に、窓穴４１の上下寸法と略同じ幅で、他の部位よりも後方に凹んだ凹部４２，４２がそれぞれ設けられている。また枠本体４の左右両側辺において、凹部４２の外側縁は他の部位の外側縁よりも内側に凹んでいる。また各凹部４２の上下両側には化粧板５ａ，５ｂに設けられた係止爪５４が係止する係止孔４３がそれぞれ設けられている。この係止孔４３は、外側寄りの部位に比べて内側寄りの部位では上下方向の幅寸法が幅広に形成されており、この幅広部分を通して発光ダイオード８１の発光が前方へ出射されるようになっている。また枠本体４の後面には、取付枠２に取着されたスリーブ７に対応する位置に係止爪片４４がそれぞれ設けられ、取付枠２の前面側に枠本体４を装着すると、係止爪片４４がスリーブ７の係止突起７０に係止することによって、枠本体４が取付枠２に固定される。
【００２１】
化粧板５ａ，５ｂは合成樹脂により略同一の形状に形成されており、凹部４２の前面を覆う矩形板状の主部５０と、主部５０の外側縁から後方に突出して凹部４２の外側縁を覆う側部５１を備える。主部５０の前面には、左右方向（すなわち配線器具の連設方向）（第１方向）に沿って延びる複数本の溝５２が上下方向（第２方向）に一定間隔を開けて形成されており、これらの溝５２で化粧プレート３の表面意匠が構成されている。また主部５０の上下両側縁には、枠本体４の係止孔４３に係止する係止爪５４が２個ずつ突設されてる。また、発光ブロック８の前側に配置される化粧板５ａでは、複数本の溝５２の一部（例えば一番下側の溝５２）には、主部５０を前後に貫通する窓穴５３が形成されている。
【００２２】
この窓穴５３には、透光性を有する合成樹脂により形成されたレンズ体６（光透過部材）の一部が挿入される。レンズ体６は、左右に細長い形状であって前面視の形状が窓穴５３と略同じ形状に形成された凸部６１を有し、凸部６１の後端には鍔部６２が一体に形成されている。レンズ体６の凸部６１を化粧板５ａの窓穴５３に後方から挿入すると、鍔部６２が窓穴５３の周部に当接することで、凸部６１がそれ以上前方に移動できないようになっている。そして、レンズ体６の凸部６１が窓穴５３内に挿入された化粧板５ａを枠本体４の凹部４２に取り付けると、凹部４２と化粧板５ａとの間でレンズ体６が保持される。ここで、化粧板５ａの後面には、レンズ体６の鍔部６２を逃がす凹所５５が窓穴５３の周りに設けられている。尚、化粧板５ｂには、レンズ体６の凸部６１が挿入される窓穴５３が設けられていないが、化粧板５ａと同じものを使用してもよく、部品の種類を削減できる。ところで、枠本体４を樹脂成形する際に枠本体４の上下両側辺の中央付近から樹脂を充填すると、左右両側辺の中間部（すなわち凹部４２付近）にウェルドラインが形成されて外観の見栄えが悪くなる。本実施形態では、ウェルドラインが形成される凹部４２，４２の前面を化粧板５ａ，５ｂで覆っているので、外観の見栄えを向上させることができる。
【００２３】
尚、本実施形態では枠本体４と枠本体４に取り付けられる化粧板５ａ，５ｂとでプレート枠が構成されているが、図８に示すように、枠本体４及び化粧板５ａ，５ｂが一体に成形されたようなプレート枠３０を備えてもよい。プレート枠３０の前面の少なくとも一部には表面意匠を構成する溝５２が形成され、溝５２の一部にプレート枠３０を前後に貫通する窓穴５３が設けられており、この窓穴５３に凸部６１が挿入された状態でレンズ体６がプレート枠３０に保持されている。
【００２４】
発光ブロック８は、プレート装置１（すなわちプレート装置１に取り付けられた配線器具）の設置位置を発光表示するために、プレート装置１に装着される。この発光ブロック８は略直方体状の筐体８０を備え、筐体８０の内部には光源である発光ダイオード８１及びその点灯回路と、外部電線を接続するための所謂ねじ無し端子とが収納されている。筐体８０の後面には電線挿通孔８３，８３が開口しており、この電線挿通孔８３，８３を通してねじ無し端子に電源線が接続されると、点灯回路によって発光ダイオード８１が点灯させられる。
【００２５】
発光ダイオード８１の発光部は筐体８０の前面に設けた開口窓から外部に露出している。また筐体８０の前面には発光ダイオード８１の露出部位の上下両側部から前方に向かって突出する係止爪８２，８２が設けられている。ここで、係止爪８２と係止穴２７の位置を合わせて筐体８０を後方から取付枠２に近付けると、係止爪８２が係止穴２７内に挿入されて、係止穴２７の前縁に係止することで筐体８０が枠本体２０に固定される。この時、発光ブロック８の発光ダイオード８１が窓穴２７から前方に露出するので、発光ダイオード８１の発光を窓穴２７から前方へ出射させることができる。
【００２６】
本実施形態に係るプレート装置１は上述のような構成を有しており、スリーブ７が装着された取付枠２に、化粧板５ａ，５ｂ及びレンズ体６が装着された化粧プレート３を取り付けることによってプレート装置１の組立が完了する。そして、このプレート装置１の前方から、窓穴４１及び器具取付穴２１内に埋込配線器具１００，１０１を挿入すると、埋込配線器具１００，１０１に設けた取付爪１０２が引掛片２３に係止されることで、埋込配線器具１００，１０１が取付枠２に取着される。この時、埋込配線器具１００，１０１の上下両側面に設けられた凹溝（図示せず）に、取付枠２のリブ２２が嵌合することで、埋込配線器具１００，１０１の左右方向における位置ずれを抑制することができる。
【００２７】
以上説明したように、本実施形態の化粧プレート３は、埋込配線器具用の取付枠２の前側に取着される枠本体４と、この枠本体４の前面に取着され、表面意匠を構成する溝５２が前面に形成された化粧板５ａ，５ｂとで構成されるプレート枠を備えている。そして、プレート枠（枠本体４及び化粧板５ａ，５ｂからなる）を前後に貫通する窓穴５３が溝５２の一部に設けられている。この窓穴５３には、プレート枠の後側に配置される発光ブロック８の光を窓穴５３から前方に出射させるレンズ体６（光透過部材）が配置されている。
【００２８】
このように、レンズ体６を配置する窓穴５３は、溝５２の一部に設けられているので、レンズ体６を配置するために設けた窓穴５３が目立ちにくくなる。したがって、レンズ体６をプレート枠に配置するために、プレート枠の意匠性が低下するのを抑制でき、意匠性を損なうことなく、外部に光を照射できる化粧プレート３を実現できる。また、上記の溝５２は表面意匠の一部を構成しており、窓穴５３を配置するためだけに、溝５２を形成する必要がない。また、発光ブロック８は位置表示のために用いられ、周囲が暗いときに配線器具の設置位置を光で表示することができる。
【００２９】
また本実施形態のプレート装置１は、埋込配線器具が取着される取付枠２と、取付枠２の前側に取着される上記の化粧プレート３とで構成され、位置表示用発光ブロック８が取付枠２に取り付けられている。
【００３０】
このように、上記の化粧プレート３と取付枠２とでプレート装置１を構成しているので、使い勝手と意匠性の両方を向上させたプレート装置１を実現できる。
【００３１】
また本実施形態のプレート装置１では、取付枠２及び位置表示用発光ブロック８の内の一方に、他方に設けた係止穴２７に係止する係止爪８２が設けられている。
【００３２】
これにより、位置表示用発光ブロック８を取付枠２に取り付けるために、ねじなどの部品やドライバーなどの工具を必要とせず、取付枠２に対して位置表示用発光ブロック８を容易に取り付けることができる。尚、本実施形態では取付枠２に係止穴２７が設けられ、発光ブロック８に係止爪８２が設けられているが、取付枠２に設けられた係止爪が係止する係止穴を発光ブロック８に設けてもよい。
【符号の説明】
【００３３】
１  プレート装置
２  取付枠
３  化粧プレート
４  枠本体（プレート枠）
５ａ，５ｂ  化粧板（プレート枠）
６  レンズ体（光透過部材）
８  発光ブロック（発光部）
４２  凹部
５２  溝
５３  窓穴
６１  凸部
１００  スイッチ（埋込配線器具）
１０１  コンセント（埋込配線器具）
【図１】
0005874046.tif 000002
【図２】
0005874046.tif 000003
【図３】
0005874046.tif 000004
【図４】
0005874046.tif 000005
【図５】
0005874046.tif 000006
【図６】
0005874046.tif 000007
【図７】
0005874046.tif 000008
【図８】
0005874046.tif 000009
【図９】
0005874046.tif 000010